(57)【要約】      （修正有）【課題】パワーユニットにプロテクタを介してワイヤーハーネスを固定するためのワイヤーハーネス取付部品の取付構造を提供する。【解決手段】パワーユニットに組み付け部を介して取り付けられ、組み付け部から折り曲げて設けられた挿し込み部を有するブラケットと、ブラケットの挿し込み部に挿入して取り付けられる挿入部３３を有し、かつ、ワイヤーハーネス４を保持する保持部３１を有するプロテクタ３とで構成される。プロテクタの保持部に、ワイヤーハーネスの向きをワイヤーハーネスが配設された基本面から変える湾曲部３２を形成するとともに、プロテクタに設けられるブラケットの挿入部が、プロテクタの保持部に設けられる湾曲部の曲がり方向と反対側の面に設けられ、かつ、挿入部の一端側が湾曲部の近傍に設けられるとともに、挿入部の他端側が保持部のワイヤーハーネスの軸方向から所定角度なすように配設される。【選択図】図８
2019030177.tif 000002
【特許請求の範囲】
【請求項１】
パワーユニット搭載ルームに配置されるパワーユニットにワイヤーハーネスを、プロテクタを介して取り付けるためのワイヤーハーネス取付部品の取付構造において、
前記パワーユニットに組み付け部を介して取り付けられ、該組み付け部から折り曲げて設けられた挿し込み部を有するブラケットと、前記ブラケットの挿し込み部に挿入して取り付けられる挿入部を有し、かつ前記ワイヤーハーネスを保持する保持部を有するプロテクタとで構成され、前記プロテクタの保持部に該ワイヤーハーネスの向きをワイヤーハーネスが配設された基本面から変える湾曲部を形成するとともに該プロテクタに設けられるブラケットの挿入部が、前記プロテクタの保持部に設けられるワイヤーハーネスの向きを変える湾曲部の曲がり方向と反対側の面に設けられ、かつ該挿入部の一端側が前記湾曲部の近傍に設けられるとともに該挿入部の他端側が保持部のワイヤーハーネスの軸方向から所定角度なすように配設されていることを特徴とするワイヤーハーネス取付部品の取付構造。
【請求項２】
前記プロテクタは、前記ワイヤーハーネスの底部周面を保持する保持部に、前記ワイヤーハーネスの向きをワイヤーハーネスが配設された基本面から下方に変える方向に前記湾曲部を設け、前記保持部に保持されたワイヤーハーネスの曲がり部とプロテクタの保持部の間に間隙を形成したことを特徴とする請求項１に記載のワイヤーハーネス取付部品の取付構造。
【請求項３】
前記プロテクタの保持部に前記ワイヤーハーネスの挟持部を設けたことを特徴とする請求項１または２に記載のワイヤーハーネス取付部品の取付構造。
【請求項４】
前記プロテクタに設けられる挿入部には、ブラケットの挿入口と反対側の先端部に、幅方向の目印用リブが設けられていることを特徴とする請求項１ないし３のいずれか１項に記載のワイヤーハーネス取付部品の取付構造。
【発明の詳細な説明】
【技術分野】
【０００１】
本発明は、パワーユニット搭載ルームに配置されるパワーユニットにワイヤーハーネスを、プロテクタを介して固定するためのワイヤーハーネス取付部品の取付構造に関する。
【背景技術】
【０００２】
従来、エンジンルーム等の車両用パワーユニット搭載ルームでは、限られたスペースにパワーユニット等の各部品が内蔵されており、これら各部品をワイヤーハーネスで接続する接続作業が困難であった（特許文献１参照）。
【先行技術文献】
【特許文献】
【０００３】
【特許文献１】特開２０１０−２９０５６号公報
【発明の概要】
【発明が解決しようとする課題】
【０００４】
特に軽自動車では、これら各部品を限られたパワーユニット搭載ルームのスペース内で、パワーユニットから引き出されたワイヤーハーネスを使って各部品間を接続する接続作業が困難であった。
【０００５】
本発明は、パワーユニット搭載ルームに配置されるパワーユニットにワイヤーハーネスを、プロテクタを介して固定するためのワイヤーハーネス取付部品の取付構造を提供することを目的とする。
【課題を解決するための手段】
【０００６】
本発明は、上記課題を解決するため、パワーユニット搭載ルームに配置されるパワーユニットにワイヤーハーネスを、プロテクタを介して取り付けるためのワイヤーハーネス取付部品の取付構造において、前記パワーユニットに組み付け部を介して取り付けられ、該組み付け部から折り曲げて設けられた挿し込み部を有するブラケットと、前記ブラケットの挿し込み部に挿入して取り付けられる挿入部を有し、かつ前記ワイヤーハーネスを保持する保持部を有するプロテクタとで構成され、前記プロテクタの保持部に該ワイヤーハーネスの向きをワイヤーハーネスが配設された基本面から変える湾曲部を形成するとともに該プロテクタに設けられるブラケットの挿入部が、前記プロテクタの保持部に設けられるワイヤーハーネスの向きを変える湾曲部の曲がり方向と反対側の面に設けられ、かつ該挿入部の一端側が前記湾曲部の近傍に設けられるとともに該挿入部の他端側が保持部のワイヤーハーネスの軸方向から所定角度なすように配設されていることで、前記パワーユニットに組み付けられていることにある。
【発明の効果】
【０００７】
本発明のワイヤーハーネス取付部品の取付構造によれば、ワイヤーハーネスにプロテクタを組み付けてからプロテクタをブラケットに組み付けることができるので、狭いパワーユニット搭載ルームにも容易にプロテクタを組み付けることができる。また、ワイヤーハーネスが配設された方向と角度をつけてブラケット挿入部が設けられているので、ブラケットを外す際に工具が当たる等の不具合を防ぐことができる。
【図面の簡単な説明】
【０００８】
【図１】パワーユニット搭載ルームに組み付けられたプロテクタを示す概念図である。
【図２】図１の部分拡大図である。
【図３】図２のプロテクタを外してパワーユニットに取り付けられたブラケットを示す斜視図である。
【図４】プロテクタをブラケットに組み付けた状態を示す斜視図である。
【図５】図４の一部を断面にして拡大して示す一部拡大断面図である。
【図６】図４のプロテクタとブラケットの組付け部分を縦断面にして示す斜視図である。
【図７】図６を矢視Ｘ方向に見た斜視図である。
【図８】図２のプロテクタを示す斜視図である。
【図９】図８を縦断面にして示す断面図である。
【発明を実施するための形態】
【０００９】
以下本発明の実施の形態によるワイヤーハーネス取付部品の取付構造を、図面を参照しながら詳細に説明する。図１は、自動車のパワーユニット搭載ルーム、通常はエンジンルームに組み付けられたワイヤーハーネス取付部品の取付構造を示したもので、図２はその部分拡大図である。図３は、図１のプロテクタを外してブラケットを示した図である。図４ないし図７は、ブラケットに取り付けられたプロテクタを示したものである。図８及び図９はプロテクタを示したものである。
【００１０】
図１ないし図５において、１はパワーユニット搭載ルームに配置されるパワーユニット１で、ダッシュパネル２から引き出されてパワーユニット１にプロテクタ３を介して固定されたワイヤーハーネス４を示したものである。図１の矢視Ｆ方向が車体の前方を示している。
プロテクタ３はパワーユニット１に形成された図示しない取付座面に取り付けられたブラケット５に取り付けて保持されたものである。ブラケット５は、ワイヤーハーネス４の配索個所に合わせてパワーユニット１に形成された取付座面に取り付けられている。
【００１１】
前記ブラケット５は、図３に示すように、Ｌ字形に折り曲げられた金属製のプレートで構成されている。このブラケット５は、パワーユニット１にボルト締め等により取り付けられる組み付け部Ａとなる取付基板５１と、この取付基板５１から直交する方向に向けて折り曲げられたプロテクタを取り付ける取付部Ｂとなる挿し込み部５２とで構成されている。該ブラケット５の取付基板５１は、パワーユニット１の取付座面に取り付けられる基準面となるもので、水平方向に限らず、パワーユニット１の壁面に沿って取り付けられる基準位置となるものである。該ブラケット５の挿し込み部５２は取付基板５１に対して直交する方向に折り曲げられたもので、上方に限らず取付基板５１に対して略直交する方向に延びて構成されている。該ブラケット５は取付基板５１および挿し込み部５２の長手方向両側を折り曲げてフランジ部５ａが形成されて補強されている。このブラケット５は取付基板５１に形成された図示しない取付孔に、ボルト６を介してパワーユニット１構成部品に固定されている。また、前記ブラケット５の挿し込み部５２には、板面に略逆三角形の位置決め孔５３が形成されている。
【００１２】
前記プロテクタ３の構造について、図４ないし図９により説明する。
前記プロテクタ３は、ワイヤーハーネス４を配索するための横断面Ｕ字形状のワイヤーハーネス配索部３ａを有する保持部３１と、この保持部３１の一端にワイヤーハーネス配索部３ａを平面上で略直角に折り曲げて設けられた湾曲部３２と、前記湾曲部３２と反対側の保持部３１の片側側壁面に設けられたブラケット挿入部３３とで構成されている。前記保持部３１には、ワイヤーハーネス配索部３ａの一側から薄肉状のヒンジ部を介して延出されてワイヤーハーネス配索部３ａの上方を円弧状に覆う帯状の蓋部３１ａが設けられている。該蓋部３１ａは、先端に設けられた係合突起部（図示せず）がワイヤーハーネス配索部３ａの他側縁部に設けられた係合穴（図示せず）に係合することで組み付けられている。
前記保持部３１には、ワイヤーハーネス配索部３ａに円周方向のリブ形状３１ｂが複数設けられており、ワイヤーハーネス４を蓋部３１ａによって挟んで保持するように構成されている。この帯状の蓋部３１ａを閉じることで、ワイヤーハーネス配索部３ａに配索されたワイヤーハーネス４を挟持して、ワイヤーハーネス配索部３ａからのワイヤーハーネス４の離脱を防ぐものである。
前記プロテクタ３には、ワイヤーハーネス配索部３ａを有する保持部３１の他に細いワイヤーハーネスを保持するワイヤーハーネス配索部３ｂを有する分岐部３４が一体に設けられている。分岐部３４にもワイヤーハーネス配索部３ｂの一側から延出されてワイヤーハーネス配索部３ｂの上方を覆う帯状の蓋部３４ａが設けられている。
【００１３】
前記ブラケット挿入部３３は、底面に前記ブラケット５の挿し込み部５２の挿入口３３ａを設け、内部に挿し込み部５２を収容する間隙部３３ｂを設けたものである。間隙部３３ｂには、前記ブラケット５の挿し込み部５２の厚み方向に係合する保持部３３ｃが設けられており、この保持部３３ｃの板面には、前記ブラケット５の挿し込み部５２に設けられた位置決め孔５３に係合する逆三角形の突起部３３ｄが設けられている。この突起部３３ｄは挿入口３３ａ側が薄く、間隙部３３ｂの奥が厚く形成されており、挿し込み部５２の挿入が容易で、抜け方向には外れにくく形成されている。前記保持部３３ｃは、挿し込み部５２の挿入時には、突起部３３ｄによって挿し込み部５２が反発力を保持しつつ可動し、突起部３３ｄが位置決め孔５３に係合すると挿し込み部５２の反発力が働いて挿し込み部５２の離脱を防ぐように構成されている。前記保持部３３ｃの上端部には突起部３３ｄが設けられた部分に薄肉のブラケット取り外し用爪部３３ｅが設けられており、この爪部３３ｅを操作することで、突起部３３ｄを位置決め孔５３から離脱させることができるように構成されている。前記ブラケット挿入部３３には前記保持部３３ｃの上方部分に切欠き部３３ｆが形成されており、この切欠き部３３ｆに前記爪部３３ｅが設けられている。
前記ブラケット挿入部３３の外側には、切欠き部３３ｆを挟んでブラケット５の挿し込み部５２と平行にリブ３３ｇが突設され、更にブラケット挿入部３３の隣接する面にも連続して突設されて、挿し込み部５２の挿入時の位置決めを図れるように構成されている。
【００１４】
前記ブラケット挿入部３３の取付位置について説明する。
前記プロテクタ３には、保持部３１に該ワイヤーハーネス４の向きをワイヤーハーネス４が配設された基本面から下方向に変える湾曲部３２が形成されている。該プロテクタ３に設けられるブラケット５の挿し込み部５２、すなわちブラケット取付部Ｂは、前記プロテクタ３の保持部３１に設けられるワイヤーハーネス４の向きを変える湾曲部３２の曲がり方向と反対側の面に設けられている。
該ブラケット挿入部３３の取付位置は、一端側が前記湾曲部３２の近傍に設けられるとともに該ブラケット挿入部３３の他端側が保持部３１のワイヤーハーネス４の軸方向から所定角度θなすように配設されている（図９参照）。
【００１５】
上記ワイヤーハーネス取付部品の取付構造の取付手順を説明する。
パワーユニット１に形成された取付座面に、取付基板５１を固定し、ブラケット５を組み付ける。ブラケット５の組み付け部Ａは、ボルト６を介してパワーユニット１の取付部に固定される。次に、ワイヤーハーネス配索部３ａに配索されたワイヤーハーネス４を蓋部３４ａを介して保持してプロテクタ３に取り付ける。そして、プロテクタ３のブラケット挿入部３３に、ブラケット５の挿し込み部５２を挿入させて係合させる。最後に、パワーユニット１をパワーユニット搭載ルームに配設して組み付ける。
【００１６】
上記構成によると、前記プロテクタ３の保持部３１に該ワイヤーハーネス４の向きをワイヤーハーネス４が配設された基本面から変える湾曲部３２を形成するとともに該プロテクタ３に設けられるブラケット挿入部３３が、前記プロテクタ３の保持部３１に設けられるワイヤーハーネス４の向きを変える湾曲部３２の曲がり方向と反対側の面に設けられ、かつ該ブラケット挿入部３３の一端側が前記湾曲部３２の近傍に設けられるとともに該ブラケット挿入部３３の他端側が保持部３１のワイヤーハーネス４の軸方向から所定角度θなすように配設されている。したがって、プロテクタ３に設けられるブラケット挿入部３３が、ワイヤーハーネス４が配設されている基本面の方向と一定角度θなすようにして設けられているので、プロテクタ３をブラケット５から外す作業を行う場合に、爪部３３ｅを操作する工具が誤ってワイヤーハーネス４に接触するなどの不具合を防ぐことができる。
【００１７】
前記プロテクタ３は、前記ワイヤーハーネス４の底部周面を保持する保持部３１に、前記ワイヤーハーネス４の向きをワイヤーハーネス４が配設された基本面から下方に変える方向に前記湾曲部３２を設け、前記保持部３１に保持されたワイヤーハーネス４の曲がり部とプロテクタ３の保持部３１の間に間隙が形成されるので、プロテクタ３をブラケット５から外す作業を行う場合に、爪部３３ｅを操作する工具が誤ってワイヤーハーネス４に接触するなどの不具合を防ぐことができる。
【００１８】
前記プロテクタ３の保持部３１に前記ワイヤーハーネス４の挟持部を設けたので、ワイヤーハーネス４の離脱を防ぐことができる。また、前記プロテクタ３に設けられる挿入部３３には、ブラケット挿入口３３ａと反対側の先端部に、幅方向の目印用リブ３３ｇが設けられているので、プロテクタ３をブラケット５の挿し込み部５２に組み付ける作業の目印となる。また、ブラケット５の挿し込み部５２の長さは、ブラケット挿入部３３に組み付けたときの高さが、ワイヤーハーネス４を取り付けたプロテクタ３の保持部３１の幅と略同じ長さに設定することで、他の部品との接触、および工具を用いてプロテクタ３を外す際の他の部品との干渉を防ぐことができる。
【産業上の利用可能性】
【００１９】
本発明は、上記実施の形態のみに限定されるものではなく、例えば、プロテクタ３の保持部３１に設けられた湾曲部３２の角度は、下方向に向いていれば、直角に限らず、任意の角度で形成することができる。プロテクタ３に設けるワイヤーハーネス配索部の数は、任意で良く、ワイヤーハーネスの数により、任意に増減することができる。等、その他本発明の技術的範囲を変更しない範囲内で適宜変更して実施し得ることができる。
【符号の説明】
【００２０】
１  パワーユニット
２  ダッシュパネル
３  プロテクタ
３ａ  ワイヤーハーネス配索部
３１  保持部
３１ａ  蓋部
３１ｂ  リブ形状
３２  湾曲部
３３  ブラケット挿入部
３３ａ  挿入口
３３ｂ  間隙部
３３ｃ  保持部
３３ｄ  突起部
３３ｅ  ブラケット取り外し用爪部
３３ｆ  切欠き部
３３ｇ  リブ
４  ワイヤーハーネス
５  ブラケット
５１  取付基板
５２  挿し込み部
５３  位置決め孔
【図１】
2019030177.tif 000003
【図２】
2019030177.tif 000004
【図３】
2019030177.tif 000005
【図４】
2019030177.tif 000006
【図５】
2019030177.tif 000007
【図６】
2019030177.tif 000008
【図７】
2019030177.tif 000009
【図８】
2019030177.tif 000010
【図９】
2019030177.tif 000011